(57)【要約】      （修正有）【課題】迅速かつ簡便容易に施設することができると共に、使用回数及び耐久性があり保存に優れた越水防止水袋を提供する。【解決手段】本体１が不透水材の柔らかく折り曲げ自在なシートにより形成されると共に、前後の傾斜面２１、２２、底面２３及び両側面２４で構成されており、内部に水を収容する断面形状が三角形である横長空間を有する袋状であって、前記本体の長手方向の一方の傾斜面の頂部近傍に注水口、及び他方の傾斜面の下部に排水口が形成されていること、さらに何れかの傾斜面の中央部分に、スリットが開閉可能にファスナーを備える清掃用窓口５が形成されていること、前記本体の両側面に、同一の越水防止水袋と長手方向に隣接して連結する接続手段を備える。【選択図】図３
0003225885.tif 000002
【実用新案登録請求の範囲】
【請求項１】
本体が不透水材の柔らかく折り曲げ自在なシートにより形成されと共に、前後の傾斜面、底面及び両側面で構成されており、内部に水を収容する断面形状が三角形である横長空間を有する袋状であって、前記本体の長手方向の一方の傾斜面の頂部近傍に注水口、及び他方の傾斜面の下部に排水口が形成されていること、さらに何れかの傾斜面の中央部分に清掃用窓口が開閉可能に形成されていること、前記本体の両側面に、同一の越水防止水袋と長手方向に隣接して連結する接続手段を備えることを特徴とする越水防止水袋。
【請求項２】
連結手段は、一方の側面に係止用リングを、他方の側面に結着用紐を配設したことを特徴とする請求項１に記載の越水防止水袋。
【請求項３】
排水口と清掃用窓口が同一の傾斜面に形成されており、前記傾斜面の底面から水圧受けシートを本体長手幅に亘って外側へ延設されていることを特徴とする請求項１又は２に記載の越水防止水袋。
【請求項４】
清掃用窓口にフラップが着脱可能に被設されていることを特徴とする請求項１乃至３の何れかに記載の越水防止水袋。
【請求項５】
長手方向に連結された本体の接続部において、隣接する互いの側部近傍の傾斜面に跨って包着するカバーを着脱可能に設けたことを特徴とする請求項１乃至４の何れかに記載の越水防止水袋。
【考案の詳細な説明】
【技術分野】
【０００１】
本考案は洪水時に堤防天端等に運ばれて設置され、越水をせき止める越水防止水袋に関する。
【背景技術】
【０００２】
越水を防止するために設置される越水防止水袋において、袋状の本体内に土や水等の物体を充填して膨らますと共に、水勢に耐えられる重量を付与して一時的な防水に対処する方策がとられている。
【０００３】
例えば特開２０１１−９９３１５号公報では、膜材により構成され、内部に水を収容する空間が形成された本体と、前記本体に形成された注水口、及び排水口と、前記本体の両側部に設けられ、長手方向に隣接して配された前記越水防止装置を接続する接続手段と、前記本体内部に前記長手方向と略直交する方向に配された形状保持膜と、を備え、前記形状保持膜は、その外周が前記本体の内周面と接続されていることにより、内部に水が注入された前記本体の断面形状を自身の形状に拘束し、内部に注入された複数の前記越水防止装置が前記接続手段により一列に接続されて、越水を防止することを特徴とし、前記越水防止装置の断面形状は略三角形である越水防止装置が開示されている。
【先行技術文献】
【特許文献】
【０００４】
【特許文献１】特開２０１１−９９３１５号公報
【考案の概要】
【考案が解決しようとする課題】
【０００５】
内部空間に充填する水は設置場所の近辺で行なうのが通常であり、簡易迅速に充填と連結及び設置がなされることが望まれる。
そして、充填する水は設置対象の川や湖の水を濾して利用するのが簡便であり、ある程度の大きさの流石や流木等は排除できるが非効率とならないように限度があり、細小な流動物等はそのまま袋内に納入されことになる。
そのため、使用後の排水によっても袋内に残留する物質が原因で、保存に支障が生じ、品質の悪化をきたすことになる。
【０００６】
そこで、本考案は迅速かつ簡便容易に施設することができると共に、使用回数及び耐久性があり保存に優れた越水防止水袋を提供せんとするものである。
【課題を解決するための手段】
【０００７】
本考案の請求項１の越水防止水袋は、本体が不透水材の柔らかく折り曲げ自在なシートにより形成されと共に、前後の傾斜面、底面及び両側面で構成されており、内部に水を収容する断面形状が三角形である横長空間を有する袋状であって、前記本体の長手方向の一方の傾斜面の頂部近傍に注水口、及び他方の傾斜面の下部に排水口が形成されていること、さらに何れかの傾斜面の中央部分に清掃用窓口が開閉可能に形成されていること、前記本体の両側面に、同一の越水防止水袋と長手方向に隣接して連結する接続手段を備えることを特徴とするものである。
【０００８】
請求項２の越水防止水袋の考案は、請求項１の考案において、連結手段は、一方の側面に係止用リングを、他方の側面に結着用紐を配設したことを特徴とするものである。
【０００９】
請求項３の越水防止装置水袋の考案は、請求項１又は２の考案において、排水口と清掃用窓口が同一の傾斜面に形成されており、前記傾斜面の底面から水圧受けシートを本体長手幅に亘って外側へ延設されていることを特徴とするものである。
【００１０】
請求項４の越水防止水袋の考案は、請求項１乃至３の何れかに記載の考案において、清掃用窓口にフラップが着脱可能に被設されていることを特徴とするものである。
【００１１】
請求項５の越水防止水袋の考案は、請求項１乃至４の何れかに記載の考案において、長手方向に連結された本体の接続部において、隣接する互いの側部近傍の傾斜面に跨って包着するカバーを着脱可能に設けたことを特徴とするものである。
【考案の効果】
【００１２】
本考案の、越水防止水袋は、本体が不透水材の柔らかく折り曲げ自在なシートで形成されており、内部に水を収容する断面形状が三角形である空間を有する袋状であるため、水を注入すれば収容されて十分な重量を得られ、断面形状が三角形であるため安定して自立及び定着できる効果を有する。
【００１３】
また、排水後の清掃用窓口を利用して、洗浄水の射出によって内部の汚れを取り除き、内部腐敗を防止できること、形成しているシートを畳んで保管でき、経年の再使用に耐え得るものとなる。
そして、請求項２の隣接する本体同士の連結手段が係止用リングと結着用紐とすれば格別の技量を要せず作業が容易である。
【００１４】
請求項３は、排水口と清掃用窓口を形成した傾斜面を河川等の流水側に向けて設置すれば、これらの口から充填した水が漏出しても河川に流れ問題は生ぜず、流水圧で漏出を防ぐ効果も得られる。
さらに、前記傾斜面の底面から外側へ延設されている水圧受けシートは、河川内に位置するものとなり、下方への静水圧が生じるため本体の定着を安定化する効果を発揮する。
【００１５】
請求項４の清掃用窓口にフラップが着脱可能に被設されていること、請求項５の長手方向に連結された本体の接続部において、隣接する互いの側部近傍の傾斜面に跨って包着するカバーを着脱可能に設けたことで、防水効果を一層高めるものとなる。
【図面の簡単な説明】
【００１６】
【図１】本考案の一実施の態様を示す正面図である。
【図２】図１の背面図である。
【図３】図１の右側面図である。
【図４】連結状態を示す部分斜視図である。
【考案を実施するための形態】
【００１７】
本考案の一実施の形態を図面に基づいて説明する。
本考案の越水防止水袋は、本体１が不透水材の柔らかく折り曲げ自在なシートにより形成されと共に、前後の傾斜面２１，２２、底面２３及び両側面２４，２５で構成されており、内部に水を収容する断面形状が三角形である横長空間を有する袋状であって、前記本体１の長手方向の一方の傾斜面２１の頂部近傍に複数の注水口３、及び他方の傾斜面２２の下部に複数の排水口４が形成されている。
また、傾斜面２２の中央部分に清掃用窓口５が開閉可能に形成されており、さらに、前記本体１の両側面２４，２５に、同一の越水防止袋と長手方向に隣接して連結する接続手段を備える。
【００１８】
本体１は不透水材の柔らかく折り曲げ自在なシートにより形成されており、例えばポリ塩化ビニールシートの厚さ０．６ｍｍのシートを選択でき、また、ポリエステル系の織布に塩化ビニル樹脂が含浸コーティングされたもの、或いは他のビニールシートでもよい。
各パーツの連結は融着、又は縫着して該部を樹脂コーティング、或いは逢着して該部にテープを被着する等の方法がある。
【００１９】
前記接続手段は、図面において、一方の側面２４に係止用リング６１、他方の側面２５に結着用紐６２を周囲に定間隔で複数個対応して設けた図面が例示されている。
一対の結着用紐６２を係止用リング６１に通して結び締めすることで容易・迅速に連結できる。
【００２０】
長手方向に連結された本体１の接続部において、隣接する互いの側部近傍の傾斜面２１、２２に跨って包着するカバー８が着脱可能に設けられる。
隣接する本体１同士の連結を強化すると共に、接続部からの水の漏出を防ぐものである。
カバー８は本体１の傾斜面２１，２２及び後述の水圧受けシート７を被覆する長さを有し、両側部に面テープ９、９が装設されており、傾斜面２１，２２に対応して装設されている面テープ９，９同士が密着し、隣接する接続部に跨設される。
【００２１】
複数の注水口３は、本体１の長手方向の一方の傾斜面２１の頂部近傍に設けられ、開孔口に筒状体３１が伸び、付設した止水用操作紐３２で通路を開閉することができる。
設置場所において、例えば、河川等の水をポンプで吸い上げて筒状体３１に連通することで容易に水を充填することが可能であり、内部の水の重量で断面三角形状に膨らませることができる。
【００２２】
排水口４と清掃用窓口５は同一の傾斜面２２に形成されており、清掃用窓口５にフラップ５１が着脱可能に被設されている。
複数の排水口４は、傾斜面２２の下部に形成されており、開孔口に筒状体４１が伸び、付設した止水用操作紐４２で通路を開閉することができる。
傾斜面２２の下部に形成されているため排水を促進させる。
【００２３】
清掃用窓口５は、傾斜面２２の中央部辺りに横一直線に形成したスリットに防水ファスナー５２を取り付け、開閉してスリットを開口するもので、この開口部から噴水口を挿入し、排水後の内部の汚れを噴射水で取り除くことができる。
防水ファスナー５２は公知のものを適宜選択可能できる。
また、清掃用窓口５にはフラップ５１が面テープ９で着脱可能に被設されている。
【００２４】
排水口４と清掃用窓口５を形成した傾斜面２２を河川等の流水側に向けて設置し、越水を防止するものとなる。
したがって、これらの口４，５から充填した水が漏出しても、河川に流れ出るため問題は生ぜず、さらに、河川等の流水圧でこれらの口４，５を押圧して漏出を防ぐ作用も奏する。
【００２５】
また、前記傾斜面２２側の底面２３から水圧受けシート７を本体長手幅に亘って外側へ延設されている。
そして、前記の様に傾斜面２２は河川等の流水側に向けて設置するため、水圧受けシート７は河川内に位置するものとなり、その上部の水圧の加えて、河川等の流水が傾斜面２２に当たって生じる下方への静水圧をも受け、本体１の定着を安定化させる作用を奏する。
【００２６】
以上説明した本考案の技術的範囲は、上記の実施の形態例に限定されるものではない。
例えば、内部に水を充填しても断面形状が三角形を維持するため枠や通水可能な仕切りを適宜内装することもよく、排水口４に止水キャップを着脱自在に設け、或いは開閉バルブを装着してもよい。
このように、本明細書及び図面に記載した事項から明らかになる本考案が真に意図する技術的思想の範囲全体に、広く及ぶものである。
【符号の説明】
【００２７】
１          本体
２１，２２  傾斜面
２３        底面
２４，２５  側面
３          注水口
３１，４１  筒状体
３２，４２  止水用操作紐
４          排水口
５          清掃用窓口
６１        係止用リング
６２        結着用紐
７          水圧受けシート
８          カバー
９          面テープ
【図１】
0003225885.tif 000003
【図２】
0003225885.tif 000004
【図３】
0003225885.tif 000005
【図４】
0003225885.tif 000006
【手続補正書】
【提出日】令和2年2月7日(2020.2.7)
【手続補正１】
【補正対象書類名】実用新案登録請求の範囲
【補正対象項目名】全文
【補正方法】変更
【補正の内容】
【実用新案登録請求の範囲】
【請求項１】
本体が不透水材の柔らかく折り曲げ自在なシートにより形成されと共に、前後の傾斜面、底面及び両側面で構成されており、内部に水を収容する断面形状が三角形である横長空間を有する袋状であって、前記本体の長手方向の一方の傾斜面の頂部近傍に注水口、及び他方の傾斜面の下部に排水口が形成されていること、さらに何れかの傾斜面の中央部分に、スリットが開閉可能にファスナーを備える清掃用窓口が形成されていること、前記本体の両側面に、同一の越水防止水袋と長手方向に隣接して連結する接続手段を備えることを特徴とする越水防止水袋。
【請求項２】
連結手段は、一方の側面に係止用リングを、他方の側面に結着用紐を配設したことを特徴とする請求項１に記載の越水防止水袋。
【請求項３】
排水口と清掃用窓口が同一の傾斜面に形成されており、前記傾斜面の底面から水圧受けシートを本体長手幅に亘って外側へ延設されていることを特徴とする請求項１又は２に記載の越水防止水袋。
【請求項４】
清掃用窓口にフラップが被設されていることを特徴とする請求項１乃至３の何れかに記載の越水防止水袋。
【請求項５】
長手方向に連結された本体の接続部において、隣接する互いの側部近傍の傾斜面に跨って包着するカバーを設けたことを特徴とする請求項１乃至４の何れかに記載の越水防止水袋。
【手続補正２】
【補正対象書類名】明細書
【補正対象項目名】全文
【補正方法】変更
【補正の内容】
【考案の詳細な説明】
【技術分野】
【０００１】
本考案は洪水時に堤防天端等に運ばれて設置され、越水をせき止める越水防止水袋に関する。
【背景技術】
【０００２】
越水を防止するために設置される越水防止水袋において、袋状の本体内に土や水等の物体を充填して膨らますと共に、水勢に耐えられる重量を付与して一時的な防水に対処する方策がとられている。
【０００３】
例えば特開２０１１−９９３１５号公報では、膜材により構成され、内部に水を収容する空間が形成された本体と、前記本体に形成された注水口、及び排水口と、前記本体の両側部に設けられ、長手方向に隣接して配された前記越水防止装置を接続する接続手段と、前記本体内部に前記長手方向と略直交する方向に配された形状保持膜と、を備え、前記形状保持膜は、その外周が前記本体の内周面と接続されていることにより、内部に水が注入された前記本体の断面形状を自身の形状に拘束し、内部に注入された複数の前記越水防止装置が前記接続手段により一列に接続されて、越水を防止することを特徴とし、前記越水防止装置の断面形状は略三角形である越水防止装置が開示されている。
【先行技術文献】
【特許文献】
【０００４】
【特許文献１】特開２０１１−９９３１５号公報
【考案の概要】
【考案が解決しようとする課題】
【０００５】
内部空間に充填する水は設置場所の近辺で行なうのが通常であり、簡易迅速に充填と連結及び設置がなされることが望まれる。
そして、充填する水は設置対象の川や湖の水を濾して利用するのが簡便であり、ある程度の大きさの流石や流木等は排除できるが非効率とならないように限度があり、細小な流動物等はそのまま袋内に納入されことになる。
そのため、使用後の排水によっても袋内に残留する物質が原因で、保存に支障が生じ、品質の悪化をきたすことになる。
【０００６】
そこで、本考案は迅速かつ簡便容易に施設することができると共に、使用回数及び耐久性があり保存に優れた越水防止水袋を提供せんとするものである。
【課題を解決するための手段】
【０００７】
本考案の請求項１の越水防止水袋は、本体が不透水材の柔らかく折り曲げ自在なシートにより形成されと共に、前後の傾斜面、底面及び両側面で構成されており、内部に水を収容する断面形状が三角形である横長空間を有する袋状であって、前記本体の長手方向の一方の傾斜面の頂部近傍に注水口、及び他方の傾斜面の下部に排水口が形成されていること、さらに何れかの傾斜面の中央部分に、スリットが開閉可能にファスナーを備える清掃用窓口が形成されていること、前記本体の両側面に、同一の越水防止水袋と長手方向に隣接して連結する接続手段を備えることを特徴とするものである。
【０００８】
請求項２の越水防止水袋の考案は、請求項１の考案において、連結手段は、一方の側面に係止用リングを、他方の側面に結着用紐を配設したことを特徴とするものである。
【０００９】
請求項３の越水防止装置水袋の考案は、請求項１又は２の考案において、排水口と清掃用窓口が同一の傾斜面に形成されており、前記傾斜面の底面から水圧受けシートを本体長手幅に亘って外側へ延設されていることを特徴とするものである。
【００１０】
請求項４の越水防止水袋の考案は、請求項１乃至３の何れかに記載の考案において、清掃用窓口にフラップが被設されていることを特徴とするものである。
【００１１】
請求項５の越水防止水袋の考案は、請求項１乃至４の何れかに記載の考案において、長手方向に連結された本体の接続部において、隣接する互いの側部近傍の傾斜面に跨って包着するカバーを設けたことを特徴とするものである。
【考案の効果】
【００１２】
本考案の、越水防止水袋は、本体が不透水材の柔らかく折り曲げ自在なシートで形成されており、内部に水を収容する断面形状が三角形である空間を有する袋状であるため、水を注入すれば収容されて十分な重量を得られ、断面形状が三角形であるため安定して自立及び定着できる効果を有する。
【００１３】
また、排水後の清掃用窓口を利用して、洗浄水の射出によって内部の汚れを取り除き、内部腐敗を防止できること、形成しているシートを畳んで保管でき、経年の再使用に耐え得るものとなる。
そして、請求項２の隣接する本体同士の連結手段が係止用リングと結着用紐とすれば格別の技量を要せず作業が容易である。
【００１４】
請求項３は、排水口と清掃用窓口を形成した傾斜面を河川等の流水側に向けて設置すれば、これらの口から充填した水が漏出しても河川に流れ問題は生ぜず、流水圧で漏出を防ぐ効果も得られる。
さらに、前記傾斜面の底面から外側へ延設されている水圧受けシートは、河川内に位置するものとなり、下方への静水圧が生じるため本体の定着を安定化する効果を発揮する。
【００１５】
請求項４の清掃用窓口にフラップが被設されていること、請求項５の長手方向に連結された本体の接続部において、隣接する互いの側部近傍の傾斜面に跨って包着するカバーを設けたことで、防水効果を一層高めるものとなる。
【図面の簡単な説明】
【００１６】
【図１】本考案の一実施の態様を示す正面図である。
【図２】図１の背面図である。
【図３】図１の右側面図である。
【図４】連結状態を示す部分斜視図である。
【考案を実施するための形態】
【００１７】
本考案の一実施の形態を図面に基づいて説明する。
本考案の越水防止水袋は、本体１が不透水材の柔らかく折り曲げ自在なシートにより形成されと共に、前後の傾斜面２１，２２、底面２３及び両側面２４，２５で構成されており、内部に水を収容する断面形状が三角形である横長空間を有する袋状であって、前記本体１の長手方向の一方の傾斜面２１の頂部近傍に複数の注水口３、及び他方の傾斜面２２の下部に複数の排水口４が形成されている。
また、傾斜面２２の中央部分に清掃用窓口５が開閉可能に形成されており、さらに、前記本体１の両側面２４，２５に、同一の越水防止袋と長手方向に隣接して連結する接続手段を備える。
【００１８】
本体１は不透水材の柔らかく折り曲げ自在なシートにより形成されており、例えばポリ塩化ビニールシートの厚さ０．６ｍｍのシートを選択でき、また、ポリエステル系の織布に塩化ビニル樹脂が含浸コーティングされたもの、或いは他のビニールシートでもよい。
各パーツの連結は融着、又は縫着して該部を樹脂コーティング、或いは逢着して該部にテープを被着する等の方法がある。
【００１９】
前記接続手段は、図面において、一方の側面２４に係止用リング６１、他方の側面２５に結着用紐６２を周囲に定間隔で複数個対応して設けた図面が例示されている。
一対の結着用紐６２を係止用リング６１に通して結び締めすることで容易・迅速に連結できる。
【００２０】
長手方向に連結された本体１の接続部において、隣接する互いの側部近傍の傾斜面２１、２２に跨って包着するカバー８が着脱可能に設けられる。
隣接する本体１同士の連結を強化すると共に、接続部からの水の漏出を防ぐものである。
カバー８は本体１の傾斜面２１，２２及び後述の水圧受けシート７を被覆する長さを有し、両側部に面テープ９、９が装設されており、傾斜面２１，２２に対応して装設されている面テープ９，９同士が密着し、隣接する接続部に跨設される。
【００２１】
複数の注水口３は、本体１の長手方向の一方の傾斜面２１の頂部近傍に設けられ、開孔口に筒状体３１が伸び、付設した止水用操作紐３２で通路を開閉することができる。
設置場所において、例えば、河川等の水をポンプで吸い上げて筒状体３１に連通することで容易に水を充填することが可能であり、内部の水の重量で断面三角形状に膨らませることができる。
【００２２】
排水口４と清掃用窓口５は同一の傾斜面２２に形成されており、清掃用窓口５にフラップ５１が着脱可能に被設されている。
複数の排水口４は、傾斜面２２の下部に形成されており、開孔口に筒状体４１が伸び、付設した止水用操作紐４２で通路を開閉することができる。
傾斜面２２の下部に形成されているため排水を促進させる。
【００２３】
清掃用窓口５は、傾斜面２２の中央部辺りに横一直線に形成したスリットに防水ファスナー５２を取り付け、開閉してスリットを開口するもので、この開口部から噴水口を挿入し、排水後の内部の汚れを噴射水で取り除くことができる。
防水ファスナー５２は公知のものを適宜選択可能できる。
また、清掃用窓口５にはフラップ５１が面テープ９で着脱可能に被設されている。
【００２４】
排水口４と清掃用窓口５を形成した傾斜面２２を河川等の流水側に向けて設置し、越水を防止するものとなる。
したがって、これらの口４，５から充填した水が漏出しても、河川に流れ出るため問題は生ぜず、さらに、河川等の流水圧でこれらの口４，５を押圧して漏出を防ぐ作用も奏する。
【００２５】
また、前記傾斜面２２側の底面２３から水圧受けシート７を本体長手幅に亘って外側へ延設されている。
そして、前記の様に傾斜面２２は河川等の流水側に向けて設置するため、水圧受けシート７は河川内に位置するものとなり、その上部の水圧の加えて、河川等の流水が傾斜面２２に当たって生じる下方への静水圧をも受け、本体１の定着を安定化させる作用を奏する。
【００２６】
以上説明した本考案の技術的範囲は、上記の実施の形態例に限定されるものではない。
例えば、内部に水を充填しても断面形状が三角形を維持するため枠や通水可能な仕切りを適宜内装することもよく、排水口４に止水キャップを着脱自在に設け、或いは開閉バルブを装着してもよい。
このように、本明細書及び図面に記載した事項から明らかになる本考案が真に意図する技術的思想の範囲全体に、広く及ぶものである。
【符号の説明】
【００２７】
１          本体
２１，２２  傾斜面
２３        底面
２４，２５  側面
３          注水口
３１，４１  筒状体
３２，４２  止水用操作紐
４          排水口
５          清掃用窓口
６１        係止用リング
６２        結着用紐
７          水圧受けシート
８          カバー
９          面テープ